(57)【要約】【課題】かばん類の各隅部並びに前胴部、後胴部を含む外表面部分に外装することで、かばん類の外表面に歪みやヘコみ等の変形やキズや汚れが発生するのを防止する。かばん類に対して簡易に取付け、かばん類がたとえ乱暴に取扱われる状態においても該かばん類の外面を確実に保護する。また、簡易な構成からなるかばん類の保護具を提供することを目的とする。【解決手段】  かばん類の保護具は、長手方向の中間部位置に保護当て部２を備えた４本のバンド１１を、保護当て部１３が前胴部４から後胴部５へと続く２つの隅部８のそれぞれに当接させ、該部を被う状態で、前胴部６並びに後胴部７のそれぞれの面上において対角線方向に延在するバンド１１の両端部を前胴部６並びに後胴部７に配置される２つの環状の結束部材３に掛け回すように係合させ、該結束部材３に結束させる。これによりかばん類の各隅部８、前胴部６並びに後胴部７とを確実に保護することができる。【選択図】  図１
2008220405.tif 000002
【特許請求の範囲】
【請求項１】
アタッシェケース、旅行用スーツケースなど、前胴部、後胴部を備えた全体略方形状あるいは略直方体形状からなるかばん類に外装され、該かばん類の隅部を含む外表面を保護可能とするかばん類の保護具であって、
かばん類の外表面のうち、隅部を被うようにして当接する保護当て部を備え、かばん類の前胴部から後胴部へとこれら各胴部の対角線方向に延在する状態でかばん類に外装可能な複数本のバンドと、
かばん類の前胴部あるいは後胴部のうち、少なくとも一つの面上に配置される全体環状のものとされ、上記かばん類の対角線方向に延在する複数本のバンドの各端部を係合し、上記バンドを結束可能とする結束部材と、
を備えてなるかばん類の保護具。
【請求項２】
複数本のバンドは４本とされ、それぞれ長手方向での略中間部位置において、かばん類の隅部を被うようにして当接する保護当て部を備え、かつそれぞれの保護当て部が全体方形状あるいは直方体形状からなるかばん類の前胴部から後胴部に至る異なる隅部を被うように当接され、該４本のバンドは各胴部の対角線方向に延在された状態で、それぞれの端部を前胴部並びに後胴部に位置させることとし、
一方、結束部材は前胴部の面上に配置されるものと後胴部の面上に配置されるものとの２つからなり、各結束部材は、配置される胴部側に延在する各バンドの端部と係合し、各バンドの端部を結束可能とするものである請求項１に記載のかばん類の保護具。
【請求項３】
複数本のバンドは２本とされ、それぞれの長手方向での２位置において、かばん類の隅部を被うように当接する保護当て部を備え、かつそれぞれの保護当て部が全体方形状あるいは直方体形状からなるかばん類の前胴部から後胴部に至る異なる隅部を被うように当接され、該２本のバンドは各胴部の対角線方向に延在された状態で、長手方向での２位置に備えられた各保護当て部により各胴部の対角線方向で離隔される隅部を被うとともに、それぞれの端部を前胴部または後胴部のいずれかに位置させることとし、
一方、結束部材はこうして２本のバンドのそれぞれが位置されるかばんの前胴部あるいは後胴部のいずれかの面上に配置される１つのものとされ、前胴部あるいは後胴部のいずれかに位置される各バンドの端部と係合し、各バンドの端部を結束可能とするものである請求項１に記載のかばん類の保護具。
【請求項４】
バンドは布、皮革、合成樹脂材、ゴム材、不織布のいずれかよりなる帯状体とされ、かばん類の隅部を被うように当接する保護当て部は、該帯状体に一体に形成されるものである請求項１ないし３のいずれかに記載のかばん類の保護具。
【請求項５】
保護当て部は帯状体の他の部分に比して幅広とされる請求項４に記載のかばん類の保護具。
【請求項６】
バンドは布、皮革、合成樹脂材、ゴム材、不織布のいずれかよりなる帯状体とされ、一方かばん類の隅部を被うように当接する保護当て部は、該帯状体の長手方向における任意の位置に取付けられるものである請求項１ないし３のいずれかに記載のかばん類の保護具。
【請求項７】
保護当て部は帯状体の長手方向における任意の位置に、位置調整可能に取付けられるものである請求項６に記載のかばん類の保護具。
【請求項８】
バンドは、かばん類の大きさに対応し、かばん類の前胴部あるいは後胴部の面上に配置される結束部材と係合し、かばん類の前胴部から後胴部へとこれら各胴部の対角線方向に延在するバンドの長さを調整可能とするため、バンドの端部に位置調整手段を備えることとしてなる請求項１ないし３のいずれかに記載のかばん類の保護具。
【請求項９】
各バンドの端部に、環状の結束部材と係合する係合部材を備えることとした請求項１ないし３のいずれかに記載のかばん類の保護具。
【請求項１０】
係合部材はバンドの端部を折り返し、環状の結束部材にバンドの端部を掛け回して係合するものとされ、バンドの端部は折り返した部分同士を係合する係合部と被係合部を備える構造をなす請求項１ないし３のいずれかに記載のかばん類の保護具。
【請求項１１】
バンドは長さ方向に伸縮可能な帯状体である請求項１ないし３のいずれかに記載のかばん類の保護具。
【請求項１２】
結束部材はかばん類の前胴部あるいは後胴部の面上に配置される状態において、該胴部面上の略中心位置に外装され、その全体または一部を弾性材にて形成することとしてなる請求項１ないし３のいずれかに記載のかばん類の保護具。
【発明の詳細な説明】
【技術分野】
【０００１】
本発明は、全体略方形状あるいは略直方体形状からなるかばん類に外装し、かばん類の隅部および外表面を保護するのに用いられるかばん類の保護具に関する。
【背景技術】
【０００２】
一般に、アタッシェケース、スーツケース、旅行用トランクなど、前胴部並びに後胴部を備え、全体略方形状あるいは略直方体形状からなるかばん類は、容器本体をアルミニウム合金やポリカーボネート樹脂などの硬質の素材で形成されている。このようなかばん類は、その外表面に外力が加わると、歪みやヘコみ等の変形を生じたり、キズや汚れが付きやすい。特に、航空機搭乗する際の預け入れ荷物として航空機に積み込む場合などにおいては、作業スケジュールの関係上、なかば投げられたり、床面に落下させるなどして乱暴に取り扱われ、かばん類を所有する者の注意、不注意に係わらず、上記変形やキズなどの不具合が生ずることがある。
【０００３】
そうしたことから、出願人は過去にかばん類の外表面全体を覆うタイプのかばん類の保護具を提案した。このかばん類の保護具は、かばん類の各隅部に保護部材を配設した状態でかばん類の外表面と該保護パットの全体を被包する網状のカバー部材と、両端をカバー部材の網糸同士に係止させてカバー部材で被包させた状態を固定するフック部材とからなるものである。
【特許文献１】特開２０００−２４５５２２号
【０００４】
また、特に壁面などにぶつけて外力を受けやすいかばん類の各隅部に対して、予め保護部材を配設させておくタイプのかばん類の保護具も存在する。このかばん類の保護具は、かばん類の製造に際し、かばん類の各隅部に対して保護部材を固着させるなどして、かばん類の隅部を補強するものである。
【特許文献２】特開２０００−１０６９２９号
【発明の開示】
【発明が解決しようとする課題】
【０００５】
しかしながら、網状のカバー部材により外表面全体を覆うタイプのかばん類の保護具については、隅部の保護部材が網状のカバー部材と分離して備えられるため、運搬中に保護部材が隅部から位置ずれしたり、取付の際に手間がかかる問題があった。また、取付け取外しをいちいちかばん類の全周から網状のカバー部材を着脱させて行うため、取扱い性が良くないものとされていた。
【０００６】
一方で、かばん類の各隅部に対して予め保護部材を配設させておくタイプのかばん類の保護具に関し、かばん類の外表面を保護するものは存在しなかった。また、かばん類から任意に取付け取外しをできないことから、かばん類の保護具の取付けを要しない場面において、かばん類自体のデザインを抑制する要因となっていた。また構成が複雑で配設に要するコストも嵩むことから、簡便な構成で取付け取外しを行うことのできるかばん類の保護具の開発が望まれていた。
【０００７】
本発明は、こうした事情を鑑みてなされたものであり、全体略方形状あるいは略直方体形状からなるかばん類の各隅部並びに前胴部、後胴部を含む外表面部分に外装され、かばん類の外表面に対して、落下、衝撃等により外力が加わる状態において、かばん類の外表面に歪みやヘコみ等の変形やキズや汚れが発生するのを防止し、かばん類に対して簡易に取付けられ、かばん類がたとえ乱暴に取扱われる状態においても該かばん類の外面を確実に保護することを目的とする。また、簡易な構成からなるかばん類の保護具を提供することを目的とする。
【課題を解決するための手段】
【０００８】
こうした課題を解決するため、本願の請求項１に係る発明は、アタッシェケース、旅行用スーツケースなど、前胴部、後胴部を備えた全体略方形状あるいは略直方体形状からなるかばん類に外装され、該かばん類の隅部を含む外表面を保護可能とするかばん類の保護具であって、かばん類の外表面のうち、隅部を被うようにして当接する保護当て部を備え、かばん類の前胴部から後胴部へとこれら各胴部の対角線方向に延在する状態でかばん類に外装可能な複数本のバンドと、かばん類の前胴部あるいは後胴部のうち、少なくとも一つの面上に配置される全体環状のものとされ、上記かばん類の対角線方向に延在する複数本のバンドの各端部を係合し、上記バンドを結束可能とする結束部材と、を備えることを特徴とする。
【０００９】
本願の請求項２に係る発明は、複数本のバンドは４本とされ、それぞれ長手方向での略中間部位置において、かばん類の隅部を被うようにして当接する保護当て部を備え、かつそれぞれの保護当て部が全体方形状あるいは直方体形状からなるかばん類の前胴部から後胴部に至る異なる隅部を被うように当接され、該４本のバンドは各胴部の対角線方向に延在された状態で、それぞれの端部を前胴部並びに後胴部に位置させることとし、一方、結束部材は前胴部の面上に配置されるものと後胴部の面上に配置されるものとの２つからなり、各結束部材は、配置される胴部側に延在する各バンドの端部と係合し、各バンドの端部を結束可能とすることを特徴とする。
【００１０】
本願の請求項３に係る発明は、複数本のバンドは２本とされ、それぞれの長手方向での２位置において、かばん類の隅部を被うように当接する保護当て部を備え、かつそれぞれの保護当て部が全体方形状あるいは直方体形状からなるかばん類の前胴部から後胴部に至る異なる隅部を被うように当接され、該２本のバンドは各胴部の対角線方向に延在された状態で、長手方向での２位置に備えられた各保護当て部により各胴部対角線方向で離隔される隅部を被うとともに、それぞれの端部を前胴部または後胴部のいずれかに位置させることとし、一方、結束部材はこうして２本のバンドのそれぞれが位置されるかばんの前胴部あるいは後胴部のいずれかの面上に配置される１つのものとされ、前胴部あるいは後胴部のいずれかに位置される各バンドの端部と係合し、各バンドの端部を結束可能とすることを特徴とする。
【００１１】
本願の請求項４に係る発明は、バンドは布、皮革、合成樹脂材、ゴム材、不織布のいずれかよりなる帯状体とされ、かばん類の隅部を被うように当接する保護当て部は、該帯状体に一体に形成されることを特徴とする。
【００１２】
本願の請求項５に係る発明は、保護当て部は帯状体の他の部分に比して幅広とされることを特徴とする。
【００１３】
本願の請求項６に係る発明は、バンドは布、皮革、合成樹脂材、ゴム材、不織布のいずれかよりなる帯状体とされ、一方かばん類の隅部を被うように当接する保護当て部は、該帯状体の長手方向における任意の位置に取付けられることを特徴とする。
【００１４】
本願の請求項７に係る発明は、保護当て部は帯状体の長手方向における任意の位置に、位置調整可能に取付けられることを特徴とする。
【００１５】
本願の請求項８に係る発明は、バンドは、かばん類の大きさに対応し、かばん類の前胴部あるいは後胴部の面上に配置される結束部材と係合し、かばん類の前胴部から後胴部へとこれら各胴部の対角線方向に延在するバンドの長さを調整可能とするため、バンドの端部に位置調整手段を備えることを特徴とする。
【００１６】
本願の請求項９に係る発明は、各バンドの端部に、環状の結束部材と係合する係合部材を備えることを特徴とする。
【００１７】
本願の請求項１０に係る発明は、係合部材はバンドの端部を折り返し、環状の結束部材にバンドの端部を掛け回して係合するものとされ、バンドの端部は折り返した部分同士を係合する係合部と被係合部を備える構造をなすことを特徴とする。
【００１８】
本願の請求項１１に係る発明は、バンドは長さ方向に伸縮可能な帯状体であることを特徴とする。
【００１９】
本願の請求項１２に係る発明は、結束部材はかばん類の前胴部あるいは後胴部の面上に配置される状態において、該胴部面上の略中心位置に外装され、その全体または一部を弾性材にて形成することを特徴とする。
【発明の効果】
【００２０】
本願の請求項１に係る発明によれば、全体略方形状あるいは略直方体形状からなるかばん類の各隅部並びに前胴部、後胴部を含む外表面部分に外装され、かばん類の外表面に対して、落下、衝撃等により外力が加わる状態において、かばん類の外表面に歪みやヘコみ等の変形やキズや汚れが発生するのを防止し、かばん類に対して簡易に取付けられ、かばん類がたとえ乱暴に取扱われる状態においても該かばん類の外面を確実に保護することができる。また、簡易な構成からなるかばん類の保護具を提供することが可能となる。
【００２１】
本願の請求項２に係る発明によれば、全体略方形状あるいは略直方体形状からなるかばん類の各隅部並びに前胴部、後胴部を含む外表面部分に外装され、かばん類の外表面に対して、落下、衝撃等により外力が加わる状態において、かばん類の隅部、前胴部、後胴部における外表面に歪みやヘコみ等の変形やキズや汚れが発生するのを防止し、かばん類に対して簡易に取付けられ、かばん類がたとえ乱暴に取扱われる状態においても該かばん類の外面を確実に保護することができる。特に、長手方向の中間位置に保護当て部を備えるバンド同士を前胴部、後胴部のそれぞれの対角線方向に延在させてなるため、各隅部に対する保護当て部の位置決めを容易に行うことができる。また、簡易な構成からなるかばん類の保護具を提供することが可能となる。
【００２２】
本願の請求項３に係る発明によれば、全体略方形状あるいは略直方体形状からなるかばん類の各隅部並びに前胴部、後胴部を含む外表面部分に外装され、かばん類の外表面に対して、落下、衝撃等により外力が加わる状態において、かばん類の隅部、前胴部、後胴部における外表面に歪みやヘコみ等の変形やキズや汚れが発生するのを防止し、かばん類に対して簡易に取付けられ、かばん類がたとえ乱暴に取扱われる状態においても該かばん類の外面を確実に保護することができる。特に、１つの結束部材に対して２本のバンドの各端部を係合させるだけで、かばん類に対する取付け取外しを行うことができるため、かばん類に対して簡易に取付け取外しが可能となる。また、簡易な構成からなるかばん類の保護具を提供することが可能となる。
【００２３】
本願の請求項４に係る発明によれば、簡易な構成からなるかばん類の保護具を提供することが可能となる。
【００２４】
本願の請求項５に係る発明によれば、かばん類の隅部が幅広の保護当て部に被われることとなるため、かばん類の隅部を確実に保護することができる。
【００２５】
本願の請求項６に係る発明によれば、保護当て部の取付け位置を調整することで、かばん類の隅部を確実に保護する状態でのかばん類への取付けが可能となる。また、サイズの異なる複数のかばん類に対して適用することができる。
【００２６】
本願の請求項７に係る発明によれば、保護当て部をバンドに取付けた状態で、位置調整することで、かばん類の隅部を確実に保護する状態でのかばん類への取付けが可能となる。また、サイズの異なる複数のかばん類に対して適用することができる。
【００２７】
本願の請求項８に係る発明によれば、かばん類のサイズに応じて胴部の対角線方向に延在するバンドの端部位置を調整することで、サイズの異なる複数のかばん類に対して適用することが可能となる。
【００２８】
本願の請求項９に係る発明によれば、かばん類に対して簡易に取付け取外しが可能となる。また、簡易な構成からなるかばん類の保護具を提供することが可能となる。
【００２９】
本願の請求項１０に係る発明によれば、環状の結束部材に掛け回されるバンド端部の折り返し長さを調整することで、サイズの異なる複数のかばん類に対して適用することが可能となる。
【００３０】
本願の請求項１１に係る発明によれば、サイズの異なる複数のかばん類に対して適用することが可能となる。また、かばん類に取付けられた状態において、バンドが締め付け方向に付勢されるため、保護当て部を含むバンドの位置ずれを防止することができる。
【００３１】
本願の請求項１２に係る発明によれば、サイズの異なる複数のかばん類に対して適用することが可能となる。また、かばん類に取付けられた状態において、環状部材がバンドの締め付け方向に付勢されるため、保護当て部を含むバンドの位置ずれを防止することができる。
【発明を実施するための最良の形態】
【００３２】
以下に本発明を実施するための最良の形態を、図を参照しながら説明する。本発明はアタッシェケースや図１１に示す旅行用スーツケース１のような全体略直方体形状のかばん類や図１２に示す書類ケース２に代表される全体略方形状のかばん類に外装され、これらの隅部を含む外表面を保護するものに係る。
【００３３】
図１１に示すスーツケース１においては、前面から観て長方形状をなす前胴部４と後面から観て長方形状をなす後胴部５がそれぞれ備えられる。また図１２に示す書類ケース２においても、前面から観て長方形状をなす前胴部６と後面からみて長方形状をなす後胴部７とがそれぞれ備えられる。そして略直方体形状をなすスーツケース１においては、図１１に示すように８つの隅部８が備えられ、また略方形状をなす書類ケース２にあっては、図１２に示すように４つの隅部９が備えられている。
【００３４】
図１ないし図６に示す本発明の最良の実施形態に係るかばん類の保護具１０は、前胴部４と後胴部５を備えた全体略直方体形状のスーツケース１、前胴部６と後胴部７を備えた全体略方形状の書類ケース２に代表されるようなかばん類に外装されて用いるものとされ、かばん類の各隅部（８，９）を含む外表面を保護可能とするものである。
【００３５】
このかばん類の保護具１０を用い、図１並びに図２に示すように図１１に係る全体略直方体形状からなるスーツケースの外表面を保護する態様を説明する。このかばん類の保護具１０は本発明の請求項１および請求項２に対応するものとされ、長尺状をなす４本のバンド１１と、全体環状をなす２つの結束部材１２とにより構成される。
【００３６】
４本のバンド１１は、全体をポリエステル生地、ナイロン生地などの布製からなる帯状体で形成され、図３に示すように長手方向での略中間位置の領域Ｔを、スーツケース１に対する外装状態において該スーツケース１の隅部８を被うように当接する保護当て部１３としている。すなわち、この保護当て部１３は、図１に示すようにスーツケース１の外表面のうち前胴部４から後胴部５へと続く２つの隅部８を被うように当接するものとされ、該保護当て部１３に係る領域Ｔの帯状体の幅Ｗ２は、端部の幅Ｗ１に比して幅広とされ、隅部８の部分を被い易いように設定されている。
【００３７】
全体布製からなる各バンド１１は、保護当て部１３を含む全体を同じ材質で形成され、その長手方向の中間部位置からそれぞれの端部に至る部分の一面側（図３に示す表面側）にバンド１１の端部を結束部材１２と係合するための係合部材としての面ファスナ１４Ａ、１４Ｂが取着される。面ファスナ１４Ａ、１４Ｂは、布製のバンド１１に縫合して取着され、バンド１１の端部側に雌部材としての係合部１４Ａと、該係合部１４Ａに対して中間部位置側に離隔されて配設される雄部材としての被係合部１４Ｂを備える（図３参照）。
【００３８】
各バンド１１の長さ方向において、面ファスナの被係合部１４Ｂの長さＬ２は、係合部１４Ａの長さＬ１よりも長く設定するようにされている。面ファスナの係合部１４Ａと被係合部１４Ｂのそれぞれは、各バンド１１の端部を係合部１４Ａと被係合部１４Ｂとが離隔される間隔Ｉの範囲位置において折り返した状態で係合可能とされ、この折り返したバンド１１の端部を図６に示すように環状の結束部材１２に掛け回して係合部１４Ａを被係合部１４Ｂに係合することでバンド１１の端部を結束部材１２に係合させることを可能にしている。
【００３９】
図１、図２に示すように一対をなす係合部材１２は、図４に示すよう全体ドーナツ形状をなし、中心側をプラスチック部材１５で形成し、その上下両位置をゴム材１６で被う積層構造としている（図５参照）。一対をなす結合部材１２のそれぞれは、図１、図２に示すようにスーツケース１の前胴部４と後胴部５の略中心の面上に沿わせるように配置され、該スーツケース１の外表面に外装されてこれらの面部を保護可能とする。すなわち、該結束部材１２をスーツケース１の前胴部４あるいは後胴部５に配置した状態で、結合部材１２は、ゴム材１６の部分がスーツケース１の前胴部４あるいは後胴部５の面上に直接接することとなるので、床面への落下などにより前胴部４あるいは後胴部５において前方あるいは後方外側から受ける面的な外力に対して、ゴム材１６の部分がクッションとなり、受ける外力が緩衝される他、ゴム材１６の存在により各胴部４、５を直接傷つけることもない。
【００４０】
このようにして構成されるかばん類の保護具１０を、スーツケース１に対して外装させる場合、先ず図１に示すように４本のバンド１１の各々の保護当て部１３を、スーツケース１における前胴部４から後胴部５に至るそれぞれ異なる隅部８を被うように当接させ、各バンド１１の端部を長方形状をなす前胴部４並びに後胴部５の対角線上の交点側へ集束されるように位置させるようにする。続いて図１に示すように前胴部４並びに後胴部５の対角線上の交点を中心にこれらの面上に沿って配置された各結束部材１２に対し、４本のバンド１１の各端部を係合させるようにする。
【００４１】
各バンド１１端部の対応する結束部材１２に対する係合は、図１に示すように結束部材１２に対し、バンド１１の端部を矢印方向に掛け回すようにして行う。、この掛け回しは面ファスナ１４Ａ、１４Ｂが取着されるバンド１１の一面側が内側になるように行うようにする（図６参照）。この際両端を対応する一対の結束部材１２に掛け回されるバンド１１に対して、両端部を引っ張るようにしてバンド１１全体にテンションを掛け、この張設状態でバンド１１の端部に取着された面ファスナの係合部１４Ａと、被係合部１４Ｂに対して係合することで（図６参照）、図２に示すように４本のバンド１１の端部が対応する結束部材１２に対して係合し、一対の結合部材１２が各々４本のバンド１１の両端部を結束することとなる。そのため、保護当て部１３が各隅部８から容易に脱落しないようにバンド１１をスーツケース１に外装することが可能とされる。また、面ファスナは、被係合部１４Ｂのバンド長手方向における長さＬ２が係合部１４Ａにおける長さＬ１よりも長く設定されているため、スーツケースの大きさが多少異なる状態においても、各バンド１１の両端を引っ張り、バンド１１にテンションをかけながら係合部１４Ａを被係合部１４Ｂに対して位置調整して係合させることが可能であり、様々な大きさのスーツケース１に対して、各バンド１１を張設状態でスーツケース１に外装させることができる。
【００４２】
こうしてスーツケース２に外装される状態のかばん類の保護具１０は、４本のバンド１１の端部がそれぞれの結束部材１２に係合し、結束されることでスーツケース１においてバンド１１が前面あるいは後面から観て対角線方向に延在される状態となり（図２参照）、スーツケース１の全体のうち、落下や衝突などにより外力が加わり易い隅部８、前胴部４、後胴部５を被うことができるため、その外面が保護されることとなる。
【００４３】
またかばん類の保護具１０は２つの結束部材１２と４本のバンド１１とにより構成されるため、使用していないときは、簡単にスーツケース等の中に嵩張らずに収容させることが可能となる。使用の際には前記手順により、かばん類に対して簡易に取付け・取外しが可能とされ、かばん類を急に開披する必要が生じたときも、空港の待合いスペース等の場所で簡易に取外してかばん類を開披でき、閉じた後の再取付も簡易に行うことができる。また簡易な構成からなるため、かばん類の保護具１０を安価で提供することが可能となる。
【００４４】
また図１２に示す書類ケース２のような全体略方形状のかばん類に対しても、前記保護具１０を外装可能とされ、４本のバンド１１の各保護当て部１３をそれぞれ前胴部６から後胴部７に至る隅部９に当接させ、前胴部６並びに後胴部７の面上に沿って配置させた一対の結束部材１２に対し、各バンド１１の両端部を係合し、結束させることで、前記全体略直方体形状のかばん類（スーツケース１）と同様に各胴部６、７の対角線方向に４本のバンド１１のそれぞれを延在させて、かばん類の外表面を保護することが可能となる。その他の構成及び作用は、前記スーツケース１に対する外装と同様であるため、説明を省略する。
【００４５】
なお前記実施形態においてバンド１１はその全体を布製のものとしているが、例えば皮革、合成樹脂材、不織布、ゴム材などからなる材質をその全部または一部として採用した帯状体で形成してもよい。
【００４６】
また前記実施形態では保護当て部１３をバンド１１を構成する帯状体と一体に構成しているが、例えば帯状体に対し保護当て部１３を別体に形成し、例えばかばん類の隅部の形態に沿って変形し易い材質（例えばフエルト材や伸縮布材等）で保護当て部１３を形成して、隅部（８，９）に対してよりフィットし易いバンドの構成を採用することも可能である。
【００４７】
また前記実施形態では、結束部材１２をプラスチック材１５と弾性体としてのゴム材１６とで形成するようにしているが、全体をゴム材１６等の弾性材で形成してもよく、前胴部あるいは後胴部において外力を緩衝する材質であれば、ゴム材１６に代わって様々な材料を選択することも可能である。
【００４８】
さらに前記実施形態において、バンド１１端部に備えられる係合部材として、面ファスナ１４Ａ、１４Ｂを採用することとしているが、係合部材としてはあらゆるものが選択可能とされ、例えば結束部材１２に対して掛着する状態で係合するフックや留め具など、環状の結束部材１２に結合させることを可能とするものであれば、あらゆる機構のものを採用することが可能である。
【実施例】
【００４９】
図７ないし図１０は、本発明の実施例に係るかばん類の保護具２０を示し、図７はこの保護具２０を用い、図１１に係る全体略直方体形状からなるスーツケース１の外表面を保護する状態を示すものである。このかばん類の保護具２０は本発明の請求項１および請求項３に対応するものとされ、長尺状をなす２本のバンド２１（図８参照）と、全体環状をなす１つの結束部材２２とにより構成される。
【００５０】
２本のバンド２１は、図８に示すように長手方向の略中心位置同士を結合して（図８  Ｐの結合点参照）Ｘ形状に一体化可能とされ、それぞれが布製、皮革、合成樹脂材、不織布、ゴム材などからなる帯状体２４を基材として構成されている。各バンド２１は長手方向での２位置において、帯状体２４に外挿される状態で帯状体２４とは別体の保護当て部２３が備えられる（図１０参照）。すなわち、この保護当て部２３は、全体扁平な角筒形状をなし、帯状体２４に対しバンド２１の長手方向で任意の位置に位置調整を可能な状態（図１０の矢印Ａ方向）で外挿される。保護当て部２３はフエルト材、可撓性合成樹脂材など、かばん類の隅部に当接した際、変形してフィットし易い材質のものが採用される。また保護当て部２３は帯状体２４の幅Ｗ３に比して、幅広からなる幅Ｗ４を備えて形成される。
【００５１】
長手方向２位置に備えられる各保護当て部２３は、図７に示すように２本のバンド２１の結合点Ｐを例えば長方形状をなす後胴部５の対角線上の略交点位置に位置させ、それぞれのバンド２１の端部を後胴部５から前胴部４側へと延在させて外装させる状態において、スーツケース１の外表面における異なる前胴部４から後胴部５へと続く２つの隅部８を被うように当接可能とされる。この際、各バンド２１に備えられる保護当て部２３は、前面あるいは後面から観て、対角線方向で離隔されるそれぞれの隅部８を被うこととなる。これにより各々の保護当て部２３は、スーツケース１に対する保護具２０の外装状態において、前胴部４から後胴部５へと続く各隅部８を外方から受ける外力から保護可能としている。
【００５２】
２本のバンド２１は、各端部にスーツケース１の長方形状をなす前胴部４の対角線上の略交点位置の面上に沿うように配置される結束部材２２と係合するための係合部材として留め具が取着される。留め具は、帯状体２４の端部側の一面に配設され、全体キノコ状なる係合凸部２５Ａ（係合部）と、バンド２１の端部に対し、バンドの中心側に離隔された位置に、所定間隔で穿設される複数の係合孔２５Ｂ（被係合部）とにより構成される（図９、図１０参照）。
【００５３】
さらにバンド２１においては、係合部材としての係合凸部２５Ａ並びに複数の係合孔２５Ｂが形成される各端部と、２つの保護当て部２３が外挿される長手方向中心側との間に、基材としての帯状体２４と異なる材質からなる伸縮帯材２６が介装されるようにしている。すなわち、伸縮部材２６は、バンド２１の長手方向（図９、図１０の矢印Ｂ方向）に伸縮可能な伸縮布材や可撓性を有する蛇腹材等で形成される。
【００５４】
結束部材２２は、前記実施形態に係る結束部材１２の１つと略同等のものとされ、例えばかばん類としてのスーツケース１の前胴部４あるいは後胴部５のいずれかの対角線上の略交点位置の面上に沿うように配置され、２本のバンド２１の結合点Ｐが前胴部４または後胴部５に配置される状態で、外装されるバンド２１の各端部を、係合点Ｐが位置する反対側の胴部面上で係合し、結束することを可能にしている。
【００５５】
このように構成される保護具２０を、スーツケース１に対して外装させる場合、先ず２本のバンド２１の係合点Ｐをスーツケース１の後胴部５の中心に位置決めし、図７に示すように各バンド２１の各々の保護当て部２３が、スーツケース１における前胴部４から後胴部５に至るそれぞれ異なる隅部８を被うように当接させ各バンド２１の端部が前胴部４の中心側へ位置させるようにする。この際、各保護当て部２３は、基材としての帯状体２４に対し、矢印Ａ方向に位置調整可能であるため（図１０参照）、各隅部８が対応する保護当て部２３に被われるよう、その位置を調整する作業を行うこととすればよい。
【００５６】
続いて図７に示すように前胴部４の略中心の面上に沿わせるように当接・配置された一つの結束部材２２に対し、２本のバンド２１の各端部を係合させるようにする。
【００５７】
各バンド２１の結束部材２２に対する係合は、図９に示すように結合部材２２に対し、バンド２１の端部を折り返して掛け回すようにし、この際、掛け回しは係合凸部２５Ａが内側になるように行う。こうして結合部材２２に対して掛け回された各バンド２１の端部は、両端部を引っ張るようにしてバンド２１の全体にテンションを掛け、係合凸部２５Ａを対向する所定の長さ位置に穿設された係合孔２５Ｂに係合させるようにする。この結果、２本の各バンド２１の端部を結束部材２２に対して係合し、各バンド２１の端部を、一つの結束部材２２により結合させることが可能となる。
【００５８】
ここで、位置調整手段である被係合部としての係合孔２５Ｂは、バンドの長手方向において複数穿設されているため、スーツケースの大きさが多少異なる状態においても、各バンド２１の両端部を引っ張り、バンド２１にテンションをかけながら係合凸部２５Ａと対向する係合孔部２５Ｂを選択し、係合することができる。すなわち、こうした機構により、様々な大きさのスーツケース１においても、各バンド２１を張設状態でスーツケース１に外装させることができ、バンド２１がスーツケース１の外側から容易に脱落しないようにすることを可能にしている。加えて各バンド２１の各端部には、基材としての帯状体２４の間に介装される状態での伸縮帯材２６が備えられるため、バンド２１の全体にテンションをかけ、様々な大きさのスーツケース１に対して容易にバンド２１を外装させ、結束部材２２に対して係合させることが可能となる。
【００５９】
こうしてスーツケース１に外装される状態のかばん類の保護具２０は、２本のバンド２１の端部が結束部材２２に係合し、結束されることでスーツケース１においてバンド２１が前面あるいは後面から観て対角線方向に延在される状態となり（図７参照）、スーツケース２１の全体のうち、落下や衝突などにより外力が加わり易い隅部８、前胴部４、後胴部５を被うことができるため、その外面が保護されることとなる。
【００６０】
本実施例においては、前記実施形態によりもさらに少ない２本のバンド２１と一つの結束部材２２で構成され、簡易な構成で、かつ取扱い性に優れたかばん類の保護具２０の提供が可能となる。その他の構成及び作用については、前記実施形態と同様であるため、説明を省略する。
【００６１】
図１３は前記実施形態あるいは実施例の変形例に係り、図１２に示す全体略方形状の書類ケース２に外装するのに好適なかばん類の保護具３０を示す。このかばん類の保護具３０も前記実施例と同様に２本のバンド３１と一つの結束部材３２とにより構成され、各バンド３１の長手方向２位置には、書類ケース２の前面あるいは後面から観て、対角線方向に離隔する各隅部９に当接し、該部分を被う保護当て部３３が備えられる。
【００６２】
各バンド３１の端部には、バンド３１の端部を結束部材３２に係合し、結束させるための全体フック状からなる係合部材３４が備えられる。各バンド３１の端部には、この係合部材３４の端部における位置調整を行い、バンド３１の全体長さを調整するためのバンド留め具３５が備えられる。すなわち、このバンド留め具３５は一般の紳士用ベルトなどにみられる機構が採用され、複数の留め孔に対する留め具の選択的係合により、バンド端部の係合部材の位置調整を可能とするものである。
【００６３】
その他の機構及び作用については、前記実施形態並びに実施例と同様であるため説明を省略する。
【図面の簡単な説明】
【００６４】
【図１】本発明の最良の実施形態に係るかばん類の保護具を、かばん類としてのスーツケースに外装させた状態を示す斜視図である。
【図２】スーツケースにかばん類の保護具を外装させた状態を示す斜視図である。
【図３】かばん類の保護具の構成部品としてのバンドを示す正面図である。
【図４】結束部材を示す参考斜視図である。
【図５】図４のＶ−Ｖ線に沿う断面図である。
【図６】バンドの端部を結束部材に掛け回して係合する状態を示す断面図である。
【図７】本発明の実施例に係るかばん類の保護具を示し、該保護具を図１と同様のスーツケースに外装させた状態を示す斜視図である。
【図８】図７に示すかばん類の保護具のうち、２本のバンドの構成を示す正面図である。
【図９】バンドの端部を結束部材に係合させる状態を示す斜視図である。
【図１０】バンドを構成する帯状体に取付けられる保護当て部の構造を示す斜視図である。
【図１１】本発明に係るかばん類の保護具を外装するかばん類の一例としてのスーツケースを示す斜視図である。
【図１２】本発明に係るかばん類の保護具を外装するかばん類の一例として書類ケースを示す斜視図である。
【図１３】図１２に示す書類ケースに外装するタイプの他の実施例に係るかばん類の保護具を示す斜視図である。
【符号の説明】
【００６５】
１                  スーツケース（かばん類）
２                  書類ケース（かばん類）
３                  提げ手
４，６              前胴部
５，７              後胴部
８，９              隅部
１０，２０，３０    かばん類の保護具
１１，２１，３１    バンド
１２，２２，３２    結束部材
１３，２３，３３    保護当て部
１４Ａ，１４Ｂ      面ファスナ（係合部材）
１５                プラスチック材
１６                ゴム材
２４                帯状体
２５Ａ              係合凸部（係合部材）
２５Ｂ              係合孔（係合部材）
２６                伸縮部材
３４                係合部材
３５                バンド留め具
【図１】
2008220405.tif 000003
【図２】
2008220405.tif 000004
【図３】
2008220405.tif 000005
【図４】
2008220405.tif 000006
【図５】
2008220405.tif 000007
【図６】
2008220405.tif 000008
【図７】
2008220405.tif 000009
【図８】
2008220405.tif 000010
【図９】
2008220405.tif 000011
【図１０】
2008220405.tif 000012
【図１１】
2008220405.tif 000013
【図１２】
2008220405.tif 000014
【図１３】
2008220405.tif 000015